(57)【要約】【課題】撮影条件の切替え、確認を容易に行うことができる。【解決手段】回転操作により所望の選択項目を選択する第１ダイヤル部材１０、及び第２ダイヤル部材１２を備える撮像装置２であって、前記第１ダイヤル部材の天面に複数のモードを含む第１モード群を表示する第１表示部１０ａと、前記第１ダイヤル部材の回転操作によって前記第１モード群の中から選択された第１選択モードのパラメータを第１パラメータ群として前記第２ダイヤル部材の天面に表示する第２表示部１２ａと、前記第１選択モード、及び前記第２ダイヤル部材の回転操作によって前記第１パラメータ群の中から選択された第１選択パラメータを撮影条件として撮像を行う撮像部２８とを備える。【選択図】図２
2014202837.tif 000002
【特許請求の範囲】
【請求項１】
回転操作により所望の選択項目を選択する第１ダイヤル部材、及び第２ダイヤル部材を備える撮像装置であって、
前記第１ダイヤル部材の天面に複数のモードを含む第１モード群を表示する第１表示部と、
前記第１ダイヤル部材の回転操作によって前記第１モード群の中から選択された第１選択モードのパラメータを第１パラメータ群として前記第２ダイヤル部材の天面に表示する第２表示部と、
前記第１選択モード、及び前記第２ダイヤル部材の回転操作によって前記第１パラメータ群の中から選択された第１選択パラメータを撮影条件として撮像を行う撮像部と
を備えることを特徴とする撮像装置。
【請求項２】
前記第１表示部の中央部に予め設定されている第１設定パラメータを表示する第１中央表示部と、
前記第１中央表示部の周囲に前記第１モード群を表示する第１周囲表示部と、
前記第１表示部に操作部材が接触したことを検出する第１検出部と、
前記第１検出部により、前記第１表示部に前記操作部材が接触したことが検出されると、前記第１設定パラメータに代えて前記第１選択モードを前記第１中央表示部に表示させ、前記第１モード群に代えて前記第１設定パラメータを含む第１設定パラメータ群を前記第１周囲表示部に表示させる第１制御部と
を備えることを特徴とする請求項１記載の撮像装置。
【請求項３】
前記第２表示部の中央部に予め設定されている第２設定パラメータを表示する第２中央表示部と、
前記第２中央表示部の周囲に前記第１パラメータ群を表示する第２周囲表示部と、
前記第２表示部に前記操作部材が接触したことを検出する第２検出部と、
前記第２検出部により、前記第２表示部に前記操作部材が接触したことが検出されると、前記第２設定パラメータに代えて前記第１選択パラメータを前記第２中央表示部に表示させ、前記第１パラメータ群に代えて前記第２設定パラメータを含む第２設定パラメータ群を前記第２周囲表示部に表示させる第２制御部と
を備えることを特徴とする請求項１または２記載の撮像装置。
【請求項４】
前記第１表示部の中央部に予め設定されている第１設定パラメータを表示する第１中央表示部と、
前記第１中央表示部の周囲に前記第１モード群を表示する第１周囲表示部と、
前記第１表示部に操作部材が接触したことを検出する第１検出部と、
前記第１ダイヤル部材の回転操作によって前記第１モード群の中から第２選択モードが選択され、かつ前記第１表示部になされた接触が第１の種類の接触であった場合には、前記第１モード群に替えて第３設定パラメータ群を前記第１周囲表示部に表示させ、前記第１ダイヤル部材の回転操作によって前記第１モード群の中から前記第２選択モードが選択され、かつ前記第１表示部になされた接触が第２の種類の接触であった場合には、前記第１モード群に替えて前記第１設定パラメータを含む第１設定パラメータ群を前記第１周囲表示部に表示させる前記第１制御部と
を備えることを特徴とする請求項１記載の撮像装置。
【請求項５】
前記第１表示部の中央部に予め設定されている第１設定パラメータを表示する第１中央表示部と、
前記第１中央表示部の周囲に前記第１モード群を表示する第１周囲表示部と、
前記第２表示部の中央部に予め設定されている第２設定パラメータを表示する第２中央表示部と、
前記第２中央表示部の周囲に前記第１パラメータ群を表示する第２周囲表示部と、
前記第１表示部に操作部材が接触したことを検出する第１検出部と、
前記第２表示部に操作部材が接触したことを検出する第２検出部と、
前記第２表示部になされた接触が前記第１の種類の接触であった場合には、前記第１パラメータ群に代えて第２モード群を前記第２周囲表示部に表示させる第２制御部と、
前記第２モード群が前記第２周囲表示部に表示された場合に、前記第１モード群に替えて、前記第２ダイヤル部材の回転操作によって前記第２モード群の中から選択された第２選択モードのパラメータを第３パラメータ群として前記第１周囲表示部に表示させる第１制御部と
を備えることを特徴とする請求項１記載の撮像装置。
【発明の詳細な説明】
【技術分野】
【０００１】
本発明は、撮像装置に関するものである。
【背景技術】
【０００２】
モードダイヤルの表示内容を遷移させることにより、表示モードやパラメータの切替、選択が可能なデジタルカメラが知られている（例えば、特許文献１参照）。
【先行技術文献】
【特許文献】
【０００３】
【特許文献１】特開２００８−１６５１１８号公報
【発明の概要】
【発明が解決しようとする課題】
【０００４】
しかしながら、このデジタルカメラにおいては、一旦設定されたパラメータを設定し直す場合、再度モードの選択からやり直す必要がある等、パラメータを切替えることが困難であった。
【０００５】
また、モードダイヤルが一つであるため、複数のパラメータを設定した場合、現在設定されているパラメータを確認し難いという問題があった。
【０００６】
本発明の目的は、撮影条件の切替え、確認を容易に行うことができる撮像装置を提供することである。
【課題を解決するための手段】
【０００７】
本発明の撮像装置は、回転操作により所望の選択項目を選択する第１ダイヤル部材、及び第２ダイヤル部材を備える撮像装置であって、前記第１ダイヤル部材の天面に複数のモードを含む第１モード群を表示する第１表示部と、前記第１ダイヤル部材の回転操作によって前記第１モード群の中から選択された第１選択モードのパラメータを第１パラメータ群として前記第２ダイヤル部材の天面に表示する第２表示部と、前記第１選択モード、及び前記第２ダイヤル部材の回転操作によって前記第１パラメータ群の中から選択された第１選択パラメータを撮影条件として撮像を行う撮像部とを備えることを特徴とする。
【発明の効果】
【０００８】
本発明の撮像装置によれば、パラメータの切替え、確認を容易に行うことができる。
【図面の簡単な説明】
【０００９】
【図１】第１の実施の形態に係るデジタルカメラの上面を示す図である。
【図２】第１の実施の形態に係るデジタルカメラの構成を示すブロック図である。
【図３】第１の実施の形態に係るデジタルカメラの撮影条件決定処理を示すフローチャートである。
【図４】第１の実施の形態に係るデジタルカメラの第１ダイヤル及び第２ダイヤルを示す図である。
【図５】第２の実施の形態に係るデジタルカメラの撮影条件決定処理を示すフローチャートである。
【図６】第２の実施の形態に係るデジタルカメラの第１ダイヤル及び第２ダイヤルを示す図である。
【図７】第３の実施の形態に係るデジタルカメラの撮影条件決定処理を示すフローチャートである。
【図８】第３の実施の形態に係るデジタルカメラの第１ダイヤル及び第２ダイヤルを示す図である。
【発明を実施するための形態】
【００１０】
以下、図面を参照して第１の実施の形態に係る撮像装置であるデジタルカメラについて説明する。図１は、第１の実施の形態に係るデジタルカメラの上面を示す図である。図１に示すように、デジタルカメラ２の筐体４の上面には、レリーズ指示を行うレリーズボタン８、回転操作により所望の選択項目を選択する第１ダイヤル１０、第２ダイヤル１２、第１ダイヤル１０により選択された選択項目を指し示す第１ダイヤル指標１４、及び第２ダイヤル１２により選択された選択項目を指し示す第２ダイヤル指標１６が設けられている。
【００１１】
ここで、第１ダイヤル１０の天面には、候補となる選択項目を表示する第１表示部１０ａが設けられ、第１表示部１０ａの中央部には、第１表示部１０ａにおいて指等が接触したことを検出するタッチパネル１０ｂ（図２参照）が設けられている。同様に、第２ダイヤル１２の天面には、候補となる選択項目を表示する第２表示部１２ａが設けられ、第２表示部１２ａの中央部には、第２表示部１２ａにおいて指等が接触したことを検出するタッチパネル１２ｂ（図２参照）が設けられている。
【００１２】
また、筐体４の内部には、被写体を照明する照明光を射出するフラッシュ部１８が収納されている。なお、フラッシュ部１８は、いわゆるポップアップ式の内蔵フラッシュであり、筐体４の上側にポップアップさせた状態で使用される。
【００１３】
図２は、第１の実施の形態に係るデジタルカメラ２の構成を示すブロック図である。デジタルカメラ２は、ＣＰＵ２０を備え、ＣＰＵ２０には第１ダイヤル１０、第２ダイヤル１２、図示しない電源ボタンやレリーズボタン８等を含む操作部２２、筐体４の背面に設けられたＬＣＤ表示部２４の表示制御を行う表示制御部２６、被写体光を撮像する撮像素子２８、フラッシュ部１８、画像データを記憶するメモリカード３６を装着するメモリカードスロット３８が備えられている。
【００１４】
ここで、第１ダイヤル１０は、第１表示部１０ａに表示される画像の表示制御を行なう表示制御部１０ｃ、及びタッチパネル１０ｂを備えている。同様に、第２ダイヤル１２は、第２表示部１２ａに表示される画像の表示制御を行なう表示制御部１２ｃ、及びタッチパネル１２ｂを備えている。
【００１５】
次に、図３に示すフローチャートを参照して第１の実施の形態に係るデジタルカメラ２の撮影条件決定処理について説明する。まず、操作者により電源がオンにされると、ＣＰＵ２０は、第１ダイヤル１０の第１表示部１０ａに所定の選択項目を表示する（ステップＳ１）。例えば、図４（ａ−１）に示すように、第１表示部１０ａの中央部分に選択候補となるＩＳＯ値の一つであるＩＳＯ値「１６００」を表示し、中央部分の周囲（以下、周囲部分という。）に撮影モードに含まれる各種モードを表示する。ここで、記号「Ｐ」はプログラムオートモードを示しており、「Ｓ」はシャッター優先モードを示しており、「Ａ」は絞り優先モードを示している。また、「Ｍ」はマニュアルモードを示し、「Ｕ１」、「Ｕ２」はそれぞれユーザー設定モードを示し、「ＳＣＥＮＥ」はシーンモードを示し、カメラの形状の絵文字はオートモードを示している。なお、ステップＳ１において、第１表示部１０ａには、前回の操作終了時に設定されていた状態が表示される。
【００１６】
次に、操作者が第１ダイヤル１０を回転させて第１ダイヤル指標１４に「Ｓ」を合わせると、ＣＰＵ２０は、撮影モードをシャッター優先モードに決定する（ステップＳ２）。次に、ＣＰＵ２０は、第２ダイヤル１２の第２表示部１２ａにシャッター優先モードのパラメータを表示する（ステップＳ３）。即ち、図４（ｂ−１）に示すように、シャッター優先モードにおいて選択候補となるシャッター速度を第２表示部１２ａの周囲部分に表示する。また、第２表示部１２ａの中央部分に、選択候補となる露出補正値の一つである露出補正値「＋１．３」を表示する。
【００１７】
次に、操作者が第２ダイヤル１２を回転させて第２ダイヤル指標１６にシャッター速度「１／１０００」を合わせると、ＣＰＵ２０は、シャッター優先モードのシャッター速度を１／１０００秒に決定する（ステップＳ４）。次に、ＣＰＵ２０は、第２表示部１２ａの中央部分がタップされたか否かの判定を行う（ステップＳ５）。
【００１８】
第２表示部１２ａの中央部分がタップされない場合（ステップＳ５：Ｎｏ）、ステップＳ４の処理に戻る。この場合、操作者は第１ダイヤル１０を回転させることにより、一旦決定したシャッター速度を変更することができる。一方、第２表示部１２ａの中央部分がタップされた場合（ステップＳ５：Ｙｅｓ）、ＣＰＵ２０は、第２表示部１２ａの表示を切替える（ステップＳ６）。即ち、図４（ｂ−２）に示すように、ステップＳ４で決定されたシャッター速度「１／１０００」を第２表示部１２ａの中央部分に表示し、ステップＳ４で第２表示部１２ａの中央部分に表示された露出補正値「＋１．３」を含む、選択候補となる露出補正値を第２表示部１２ａの周囲部分に表示する。
【００１９】
次に、操作者が第２ダイヤル１２を回転させて第２ダイヤル指標１６に露出補正値「＋１．３」を合わせると、ＣＰＵ２０は、露出補正値を＋１．３に決定する（ステップＳ７）。なお、ステップＳ７の後に再び第２表示部１２ａの中央部分がタップされた場合には、更に第２表示部１２ａの中央部分の表示と周囲部分の表示とが入替る。具体的には、図４（ａ−１）に示すように、第２表示部１２ａの中央部分に決定済の露出補正値「＋１．３」が表示され、第２表示部１２ａの周囲部分にシャッター速度が１／１０００秒に決定された状態のパラメータが表示される。このため、操作者はタップ操作を繰り返すことにより一度決定した撮影条件を何度でも変更することができる。
【００２０】
また、ステップＳ２の処理が完了すると、ＣＰＵ２０は、第１表示部１０ａがタップされたか否かの判定を行う（ステップＳ８）。第１表示部１０ａがタップされない場合（ステップＳ８：Ｎｏ）、ステップＳ２の処理に戻る。この場合、操作者は第１ダイヤル１０を回転させることにより、一旦決定した撮影モードを変更することができる。一方、第１表示部１０ａがタップされた場合（ステップＳ８：Ｙｅｓ）、ＣＰＵ２０は、第１表示部１０ａの表示を切替える（ステップＳ９）。即ち、図４（ａ−２）に示すように、ステップＳ２で決定されたシャッター優先モード「Ｓ」を第１表示部１０ａの中央部分に表示し、ステップＳ１で中央部分に表示したＩＳＯ値「１６００」を含む、選択候補となるＩＳＯ値を第１表示部１０ａの周囲部分に表示する。
【００２１】
次に、操作者が第１ダイヤル１０を回転させて第１ダイヤル指標１４にＩＳＯ値「１６００」を合わせると、ＣＰＵ２０は、ＩＳＯ値を１６００に決定する（ステップＳ１０）。
【００２２】
次に、レリーズボタン８が操作されると、ＣＰＵ２０は撮像素子２８により、この撮影条件決定処理によって決定された撮影条件で被写体光の撮像を行う（ステップＳ１１）。
【００２３】
この第１の実施の形態に係るデジタルカメラ２によれば、第１ダイヤル１０の操作により選択されたモードを第１表示部１０ａに表示したままの状態で、第２表示部１２ａに表示されたパラメータを切替えることができるため、撮影条件の切替え、確認を容易に行うことができる。また、ダイヤル天面のタッチ操作により、それぞれのダイヤルの中央部分に表示されているパラメータを周囲部分に表示させることができるため、ダイヤルの回転操作によって多くの種類の選択項目を選択、決定することができる。
【００２４】
次に、第２の実施の形態に係るデジタルカメラについて説明する。この第２の実施の形態に係るデジタルカメラは、第１の実施の形態において、撮影モードに含まれる所定のモードが設定された場合、第１表示部１０ａになされたタッチ操作の種類によって第１表示部１０ａに異なる選択項目を表示するものである。従って、第２の実施の形態では、第１の実施と異なる部分について詳細に説明し、重複する部分については適宜説明を省略する。
【００２５】
図５は、第２の実施の形態に係るデジタルカメラの撮影条件決定処理を示すフローチャートである。まず、操作者により電源がオンにされると、ＣＰＵ２０は、図６（ａ−１）に示すように、第１表示部１０ａの中央部分に選択候補となるＩＳＯ値の一つであるＩＳＯ値「１６００」を表示し、周囲部分に撮影モードに含まれる各種モードを表示する（ステップＳ２１）。
【００２６】
次に、操作者が第１ダイヤル１０を回転させて第１ダイヤル指標１４に「Ｍ」を合わせると、ＣＰＵ２０は、撮影モードをマニュアルモードに決定する（ステップＳ２２）。次に、ＣＰＵ２０は、第２ダイヤル１２の第２表示部１２ａにマニュアルモードのパラメータを表示する（ステップＳ２３）。例えば、図６（ｂ）に示すように、マニュアルモードにおいて選択候補となるシャッター速度を第２表示部１２ａの周囲部分に表示する。また、ＣＰＵ２０は、図示しない露出計により現在の露出の計測を行い、現在の露出を現在の撮影条件における適正露出に補正するために必要な露出補正量を第２表示部１２ａの中央部分に、例えば、「＋１．３」のように表示する。
【００２７】
次に、操作者が第２ダイヤル１２を回転させて第２ダイヤル指標１６にシャッター速度「１／１０００」を合わせると、ＣＰＵ２０は、マニュアルモードのシャッター速度を１／１０００秒に決定する（ステップＳ２４）。
【００２８】
また、ステップＳ２２の処理が完了すると、ＣＰＵ２０は、第１表示部１０ａがタッチされたか否かの判定を行う（ステップＳ２５）。第１表示部１０ａがタッチされない場合（ステップＳ２５：Ｎｏ）、ステップＳ２２の処理に戻る。一方、第１表示部１０ａがタッチされた場合（ステップＳ２５：Ｙｅｓ）、ＣＰＵ２０は、第１表示部１０ａになされたタッチが長押しであったか否かを判定する（ステップＳ２６）。第１表示部１０ａになされたタッチが長押しであった場合（ステップＳ２６：Ｙｅｓ）、ＣＰＵ２０は、図６（ａ−２）に示すように、ステップＳ２２で決定されたマニュアルモード「Ｍ」を第１表示部１０ａの中央部分に表示し、選択候補となる絞り値を第１表示部１０ａの周囲部分に表示する。
【００２９】
次に、操作者が第１ダイヤル１０を回転させて第１ダイヤル指標１４に絞り値「１．８」を合わせると、ＣＰＵ２０は、絞り値を１．８に決定する（ステップＳ２７）。
【００３０】
一方、第１表示部１０ａになされたタッチが長押しでなく、タップであった場合（ステップＳＳ２６：Ｎｏ）、ＣＰＵ２０は、図６（ａ−３）に示すように、ステップＳ２２で決定されたマニュアルモード「Ｍ」を第１表示部１０ａの中央部分に表示し、ステップＳ２１で中央部分に表示したＩＳＯ値を含む、選択候補となるＩＳＯ値を第１表示部１０ａの周囲部分に表示する。
【００３１】
次に、操作者が第１ダイヤル１０を回転させて第１ダイヤル指標１４にＩＳＯ値「１６００」を合わせると、ＣＰＵ２０は、ＩＳＯ値を１６００に決定する（ステップＳ３０）。
【００３２】
次に、レリーズボタン８が操作されると、ＣＰＵ２０は撮像素子２８により、この撮影条件決定処理によって決定された撮影条件で被写体光の撮像を行う（ステップＳ３１）。
【００３３】
この第２の実施の形態に係るデジタルカメラによれば、第１表示部１０ａになされたタッチ操作の種類によって第１表示部１０ａに表示されている選択項目を異なる種類の選択項目に切替えることができるため、操作者は撮影条件を細かく設定することができる。
【００３４】
次に、第３の実施の形態に係るデジタルカメラについて説明する。この第３の実施の形態に係るデジタルカメラは、第１の実施の形態において、第２表示部１２ａが長押しされた場合に第２表示部１２ａに撮影モード以外の第２のモードを表示し、第１表示部１０ａに第２のモードのパラメータを表示するものである。従って、第３の実施の形態では、第１の実施と異なる部分について詳細に説明し、重複する部分については適宜説明を省略する。
【００３５】
図７は、第３の実施の形態に係るデジタルカメラの撮影条件決定処理を示すフローチャートである。まず、操作者により電源がオンにされると、ＣＰＵ２０は、図８（ａ−１）に示すように、第１表示部１０ａの中央部分に選択候補となるＩＳＯ値の一つであるＩＳＯ値「１６００」を表示し、周囲部分に撮影モードに含まれる各種モードを表示する（ステップＳ４１）。
【００３６】
次に、操作者が第１ダイヤル１０を回転させて第１ダイヤル指標１４に「Ｓ」を合わせると、ＣＰＵ２０は、撮影モードをシャッター優先モードに決定する（ステップＳ４２）。次に、図８（ｂ−１）に示すように、第２表示部１２ａの周囲部分に選択候補となるシャッター速度を表示し、中央部分に選択候補となる露出補正値の一つである露出補正値「＋１．３」を表示する（ステップＳ４３）。
【００３７】
次に、第１の実施の形態で説明したステップＳ４〜Ｓ７と同様の処理（図３参照）が行われ、所望のシャッター速度、及び露出補正値が決定される（ステップＳ４４）。
【００３８】
ここで、第２表示部１２ａが長押しされると（ステップＳ４５）、ＣＰＵ２０は、第２表示部１２ａの表示をクイックメニューモードの表示に切替える（ステップＳ４６）。即ち、第２表示部１２ａの周囲部分にクイックメニューモードに含まれる各種モードを表示する。ここで、「ＱＵＡＬ」は画質モードを示しており、「ＷＢ」はホワイトバランス調整を示しており、「ＢＫＴ」はオートブラケットを示している。これに続く図形はピクチャーコントロール、マイセッティングモードをそれぞれ示している。
【００３９】
次に、操作者が第２ダイヤル１２を回転させて第２ダイヤル指標１６に「ＱＵＡＬ」を合わせると、ＣＰＵ２０は、クイックメニューモードを画質モードに決定する（ステップＳ４７）。
【００４０】
次に、ＣＰＵ２０は、第１ダイヤル１０の第１表示部１０ａの表示を切替え、図８（ａ−２）に示すように、第１表示部１０ａの周囲部分に選択候補となる画質モードのパラメータを表示させる（ステップＳ４８）。
【００４１】
次に、操作者が第１ダイヤル１０を回転させて第１ダイヤル指標１４に画質「ＲＡＷ」を合わせると、ＣＰＵ２０は、画質をＲＡＷに決定する（ステップＳ４９）。
【００４２】
次に、レリーズボタン８が操作されると、ＣＰＵ２０は撮像素子２８により、この撮影条件決定処理によって決定された撮影条件で被写体光の撮像を行う（ステップＳ５０）。
【００４３】
この第３の実施の形態に係るデジタルカメラによれば、二つの異なるモードについてそれぞれパラメータを選択することができるため、操作者は撮影条件を細かく設定することができる。
【００４４】
なお、第２の実施の形態のステップＳ２１では、第１表示部１０ａの中央部分にＩＳＯ値を表示しているが、ＩＳＯ値に替えて、絞り値を表示してもよい。この場合、第１表示部１０ａの中央部分にＩＳＯ値を表示するか絞り値を表示するかについては、操作者が予め設定できるようにしてもよい。
【００４５】
また、上述の実施の形態において、第１ダイヤル１０の回転操作により、「Ｕ１」、「Ｕ２」等のユーザー設定モードが選択された場合、ユーザー設定モードにおいて予め設定されているパラメータが決定される。例えば、「Ｕ１」において、シャッター速度「１／１０００」、ＩＳＯ値「１６００」、露出補正値「＋１．３」に設定されている場合、操作者が第１ダイヤル指標１４に「Ｕ１」を合わせると、ＣＰＵ２０は、シャッター速度を１／１０００秒に決定すると共に、ＩＳＯ値を１６００、露出補正値を＋１．３に決定する。ここで、第１表示部１０ａ、及び第２表示部１２ａには、シャッター速度「１／１０００」、ＩＳＯ値「１６００」、露出補正値「＋１．３」にそれぞれ決定された状態の表示がなされている。
【００４６】
次に、操作者がダイヤルの回転操作等により撮影条件を変更すると、ＣＰＵ２０は、ＬＣＤ表示部２４に「「Ｕ１」の変更を登録しますか？」等のメッセージを表示する。操作者が「Ｕ１」の変更を登録した場合、「Ｕ１」の設定がダイヤルの回転操作等によってなされた撮影条件に変更される。一方、操作者が「Ｕ１」の変更を登録しない場合、「Ｕ１」の設定変更は行われず、当初の設定が維持される。
【００４７】
また、第１、３の実施の形態においては、シャッター優先モードのパラメータを選択、決定する場合を例に説明しているが、例えば、絞り優先モードなど、シャッター優先モード以外の撮影モードについてパラメータを選択、決定を行うようにしてもよい。
【００４８】
また、上述の実施の形態において、第１表示部１０ａを筐体４の上面の第１ダイヤル１０に覆われる部分に配置すると共に、第２表示部１２ａを筐体４の上面の第２ダイヤル１２に覆われる部分に配置し、第１ダイヤル１０、及び第２ダイヤル１２をそれぞれ透明な部材で形成するようにしてもよい。この場合、操作者は透明な第１ダイヤル１０を介して第１表示部１０ａを観察し、透明な第２ダイヤル１２を介して第２表示部１２ａを観察する。なお、タッチパネル１０ｂは第１表示部１０ａの中央部に配置され、タッチパネル１２ｂは第２表示部１２ａの中央部に配置される。
【００４９】
また、第２の実施の形態においては、長押しでない場合のタッチ操作としてタップが行われる場合を例に説明しているが、タップに替えてフリックが行われてもよい。
【００５０】
また、上述の実施の形態において、タッチパネル操作に替えて、ダイヤルをメカ式押下することにより、ダイヤル天面の表示部の表示を切替えるようにしてもよい。
【符号の説明】
【００５１】
２…デジタルカメラ、１０…第１ダイヤル、１０ａ…第１表示部、１０ｂ…タッチパネル、１２…第２ダイヤル、１２ａ…第２表示部、１２ｂ…タッチパネル、１４…第１ダイヤル指標、１６…第２ダイヤル指標、２０…ＣＰＵ、２８…撮像素子
【図１】
2014202837.tif 000003
【図２】
2014202837.tif 000004
【図３】
2014202837.tif 000005
【図４】
2014202837.tif 000006
【図５】
2014202837.tif 000007
【図６】
2014202837.tif 000008
【図７】
2014202837.tif 000009
【図８】
2014202837.tif 000010